(57)【要約】【課題】用紙を静電力により吸着して搬送する搬送装置を有する画像形成装置において、搬送ベルトから用紙を分離した後、用紙の搬送ベルトが接触していた側に静電気が残留することを防止する。【解決手段】給紙トレイから取り出され搬送されてきた用紙は、帯電ローラ４によって帯電した搬送ベルト１の電荷よって吸着して搬送され、記録ヘッド５によって画像が形成される。画像形成後の用紙は、用紙経路Ｐの全幅に亘り等間隔で設けられた複数の排紙ローラ７と拍車コロ８間に送り込まれ、排紙ガイド９に貼着された除電シート１０の上方を通過して排紙トレイ１１に積載される。排紙ガイド９は断面逆Ｌ字状で、隣接する排紙ローラ７間に設けられ、両側辺に突出するガイドリブ９ａ，９ａ間の凹部には徐電シート１０が貼着され、排紙ガイド９によって案内される用紙と徐電シート１０とが直接接触することがない。【選択図】図１
2005145600.tif 000002
【特許請求の範囲】
【請求項１】
電荷により被記録媒体を吸着して搬送する搬送ベルトと、該搬送ベルトに電荷を与える帯電ローラと、前記搬送ベルトを掛け渡す駆動ローラ及び従動ローラと、画像形成後の前記被記録媒体を積載する排紙トレイを備えた画像形成装置において、前記搬送ベルトと前記排紙トレイの間に前記被記録媒体の搬送ベルト接触面を徐電する徐電部材を有することを特徴とする画像形成装置。
【請求項２】
請求項１記載の画像形成装置において、前記徐電部材は搬送面より所定距離離れた位置に配置され、前記被記録媒体は前記徐電部材と非接触で徐電可能であることを特徴とする画像形成装置。
【請求項３】
請求項１または２記載の画像形成装置において、前記徐電部材は徐電布からなることを特徴とする画像形成装置。
【発明の詳細な説明】
【技術分野】
【０００１】
本発明は、画像形成後の記録紙を搬送ベルトに吸着させ搬送する画像形成装置に関し、特に、搬送ベルトの電荷帯電により記録紙を吸着搬送する画像形成装置の排紙部における記録紙の除電に関する。
【背景技術】
【０００２】
インクジェット記録装置等の画像形成装置においては、記録紙（被記録媒体）を搬送するために給紙ローラ、搬送ローラ、排紙ローラを用いると、記録紙を搬送する際にローラと記録紙との間に摩擦が生じ、静電気が発生し搬送経路や記録紙に電荷が溜まる。また、記録紙の搬送に静電力や真空吸着を利用した吸着ベルトを用いた場合にも、記録紙には電荷が溜まり易く、確実な記録紙の搬送を行うために除去する必要がある。
従来、紙、ＯＨＰ用シート等の記録紙に対して記録を行なう画像形成装置における搬送経路や記録紙に溜まった電荷を除去する手段としては、次に述べるような種々の除電手段が知られている。
【０００３】
特許文献１には、記録ヘッドのインク吐出部の上流側に配設する搬送ロールに圧接するピンチロールと、ピンチロールを保持する保持器を導電性の材質とし、フレームを介して設置することにより、記録ヘッドでの印字を実行する前に、搬送途上で電荷を帯びた記録紙上の静電気を効率よく除去するようにしたインクジェット記録装置が開示されている。
【０００４】
特許文献２には、プラテンの両側方の非印字領域に、除電手段としての除電ブラシを各色の記録ヘッドのノズルカバー及びノズルプレートに接触しないように所定の間隙を設けて配置することによって、紙擦れ等によってノズルカバーに溜まる静電気を除去し、静電気によるアクチュエータ素子等の誤動作、損傷を防止するインクジェット記録装置が開示されている。
【０００５】
特許文献３には、積載された複数の記録シートから１枚ずつ記録シートを分離搬送する給紙ローラと、給紙ローラにより搬送された記録シートを記録ヘッドカートリッジに搭載された記録ヘッドの記録位置へ送り込むラインフィードローラとを有するインクジェット記録装置であって、給送ローラとラインフィードローラの間に、静電気帯電量が所定の値以下となるように記録シートを除電する除電手段が設けられ、フチなし記録を行っても記録シートの記録裏面を汚すことのないインクジェット記録装置が開示されている。
【特許文献１】特開平１０−８１００８号公報
【特許文献２】特開平１０−１６２４０号公報
【特許文献３】特開２００３−５４０６９号公報
【発明の開示】
【発明が解決しようとする課題】
【０００６】
用紙を静電力により搬送ベルトに吸着させ搬送する搬送装置において、搬送ベルトから用紙を分離した後、用紙の搬送ベルトが接触していた側に静電気が残留することにより、用紙を排紙トレイへスタックする際、用紙同士の静電気による貼り付きによる排紙不良が発生するという問題がある。
【０００７】
また、残留する静電気を除去するための徐電部材を設けた場合においても、用紙が徐電部材に接触していると、徐電部材に紙粉や両面搬送時のインクが付着して汚れ、徐電効率が悪化し、耐久性が低下するという問題がある。
【課題を解決するための手段】
【０００８】
本発明は、前記課題を解決するためになされたもので、請求項１の発明は、電荷により被記録媒体を吸着して搬送する搬送ベルトと、該搬送ベルトに電荷を与える帯電ローラと、前記搬送ベルトを掛け渡す駆動ローラ及び従動ローラと、画像形成後の前記被記録媒体を積載する排紙トレイを備えた画像形成装置において、前記搬送ベルトと前記排紙トレイの間に前記被記録媒体の搬送ベルト接触面を徐電する徐電部材を有することを特徴とする。
【０００９】
請求項２の発明は、請求項１記載の画像形成装置において、前記徐電部材は搬送面より所定距離離れた位置に配置され、前記被記録媒体は前記徐電部材と非接触で徐電可能であることを特徴とする。
【００１０】
請求項３の発明は、請求項１または２記載の画像形成装置において、前記徐電部材は徐電布からなることを特徴とする。
【発明の効果】
【００１１】
請求項１の画像形成装置は、用紙を搬送ベルトから分離した直後に徐電することにより、用紙の搬送系路や既に排紙スタックされている用紙への用紙の貼り付きを防止することが可能となる。
【００１２】
請求項２の画像形成装置は、用紙と徐電部材を接触させないことにより、徐電部材に紙粉等が付着することを防止できる。また、両面印字の際に画像面が徐電部材側に来るが、徐電部材のインクの付着や画像面のコスレ汚れを防止することが可能となる。
【００１３】
請求項３の画像形成装置は、被記録媒体の搬送ベルト面側を徐電する徐電部材を簡単で安価な構成で用紙と接触させないことが可能となる。
【発明を実施するための最良の形態】
【００１４】
本発明は、用紙を静電力により搬送ベルトに吸着させ搬送する搬送装置を有する画像形成装置において、搬送ベルトから用紙を分離した後、用紙の搬送ベルトが接触していた側に静電気が残留することを防止するようにしたもので、電荷により被記録媒体を吸着して搬送する搬送ベルトと、該搬送ベルトに電荷を与える帯電ローラと、前記搬送ベルトを掛け渡す駆動ローラ及び従動ローラと、画像形成後の前記被記録媒体を積載する排紙トレイと、前記搬送ベルトと前記排紙トレイの間に前記被記録媒体の搬送ベルト接触面を徐電する徐電部材を有することを特徴とし、このような構成によって、用紙同士の静電気による貼り付きを原因とする排紙不良を起こすことがなく、また、残留する静電気を除去する徐電部材に紙粉やインクが付着して汚れて徐電効率が悪化し、耐久性が低下することがないようにしたものである。
【実施例】
【００１５】
以下、本発明の画像形成装置を図１〜図３に示す実施例に基づいて説明する。
図１は、本発明の実施例の画像形成装置を示す概略断面図である。
図１に示す画像形成装置は、電荷により用紙を吸着し搬送する搬送ベルト１、搬送ベルト１を駆動する駆動ローラ２、駆動ローラ２と共働して搬送ベルト１を掛け渡す従動ローラ３、搬送ベルト１に電荷を与える帯電ローラ４、記録ヘッド５、画像形成後の用紙を排紙する排紙ローラ７、排紙ローラ７と対向する拍車コロ８、排紙ローラ７から排紙された用紙を案内する排紙ガイド９、用紙に残留する電荷を徐去する徐電シート１０、排紙ローラ７により排紙された画像形成後の用紙をスタックする排紙トレイ１１を備えている。
なお、画像形成装置の記録方式としては、インクジェット方式，ワイヤドット方式，サーマル方式，レーザービーム方式等あらゆる種類の方式を採用することができる。
【００１６】
図１に示す画像形成装置において、図示しない給紙トレイから取り出され、搬送経路を搬送されてきた用紙は、駆動ローラ２と従動ローラ３間に掛け渡された搬送ベルト１に接触すると、搬送ベルト１は帯電ローラ４によって帯電した電荷によって吸着させられ、記録ヘッド５の下方に搬送され、その位置で画像情報に基づいて駆動される記録ヘッド５によって、所定の画像が形成される。画像形成後の用紙は、排紙ローラ７と拍車コロ８間に送り込まれ、排紙ガイド９と徐電シート１０の上方を通過して排紙トレイ１１に積載される。
【００１７】
図２は、図１のＸ−Ｘ断面図、図３は、図２のＹ−Ｙ断面図である。
図示しない駆動装置によって駆動される排紙ローラ軸６には、複数の排紙ローラ７が用紙経路Ｐの全幅に亘り所定間隔をもって支持されている。また、複数の排紙ローラ７に対向してそれぞれ拍車コロ８が設けられており、排紙ローラ軸６を駆動することにより、画像形成後の用紙は排紙ローラ７と拍車コロ８間に挟持されて排出される。
【００１８】
排紙ローラ軸６の隣接する排紙ローラ７間には、排紙ガイド９が設けられ、排紙ローラ７から排紙される用紙を案内する。排紙ガイド９は、図３に示すように断面逆Ｌ字状であって、折曲部を含む両側辺にはガイドリブ９ａ，９ａが突出して形成されている。両ガイドリブ９ａ，９ａ間の凹部には徐電シート１０が貼着され、排紙ガイド９によって案内される用紙と徐電シート１０とが所定の距離をもって隔離され、直接接触することがないようになっている。
【００１９】
徐電シート１０としては、導電性を有するシート状材料であれば材質を選ばないが、徐電布を使用すれば十分な除電効果が得られ、排紙ガイド９に貼着する際の取り扱いも容易である。
【００２０】
排紙ローラ７、排紙ガイド９、徐電シート１０相互の位置関係は、図３に示すように排紙ガイド９の上辺部のガイドリブ９ａが排紙ローラ７の最上位部より突出することはないように設置され、排紙ガイド９の垂下部のガイドリブ９ａは排紙トレイ１１との関係で十分な長さとする。
【００２１】
本発明によれば、徐電シート１０は画像形成後の用紙と接触しないように排紙ガイド９のリブ９ａ，９ａ間の凹面に貼られているので、徐電シート１０が紙粉や両面印刷時のインク等で汚れることがなく、恒久的に変わらぬ徐電効果が得られ、用紙の搬送系路や既にスタックされている用紙への貼り付きを防止でき、良好な搬送性が得られる。
【図面の簡単な説明】
【００２２】
【図１】本発明の実施例の画像形成装置を示す概略断面図である。
【図２】図１のＸ−Ｘ断面図である。
【図３】図２のＹ−Ｙ断面図である。
【符号の説明】
【００２３】
１…搬送ベルト、２…駆動ローラ、３…従動ローラ、４…帯電ローラ、５…記録ヘッド、６…排紙ローラ軸、７…排紙ローラ、８…拍車コロ、９…排紙ガイド、９ａ…ガイドリブ、１０…徐電シート、１１…排紙トレイ。
【図１】
2005145600.tif 000003
【図２】
2005145600.tif 000004
【図３】
2005145600.tif 000005